(57)【要約】      （修正有）【課題】自販機でフック付きペットボトルの販売を可能にする。【解決手段】ペットボトルの胴体部分に比較的平滑なものを固定し、それを操作することで、ペットボトルフックに変換する変換フック。【選択図】  図２
2006335472.tif 000002
【特許請求の範囲】
【請求項１】
ペットボトルの胴体部分に変換フックを接着固定したものであり、その変換フックは通常は比較的平滑な形態であるが、必要に応じてフックに変換できることを特徴とする。
【請求項２】
請求項１のものであって、フック部分の素材が弾塑性のものであり、弾塑性変形することを特徴とする。
【請求項３】
請求項１、２のものであって、予めペットボトル成型時に接着固定に代わる成型がなされたものであり、それを操作することでフックに変換するペットボトルと変換フックが又は収納フックが一体化されたことを特徴とする。
【請求項４】
請求項１、２のものであり、ペットボトル成型時に変換フック取り付け用の取り付け口、又は、取り付け用成型がなされていることを特徴とする。
【請求項５】
請求項１、２のものであって、ペットボトルの胴体部分にラベル又はシール等で覆われた部分、又は貼られた部分の上から変換フックを接着固定することを特徴とする。
【請求項６】
請求項１、２のものであって、ペットボトル胴体部分に取り付けるラベル又はシールの製造段階で、ラベル又はシールに変換フックを固定又は、固定するための変換フック取り付け口状のもの又は、変換フックとラベル及びシールの一体化又は、変換フック取り付け用の袋状のものがついたラベル及びシールを特徴とする。
【発明の詳細な説明】
【技術分野】
【０００１】本願発明は、ペットボトルを携帯する際の利便性に関する。
【背景技術】
【０００２】従来のペットボトルフックはペットボトルのキャップにフックを装着したものがある（例えば特許文献１、２参照）。以下従来の文献１の図１、文献２図２について説明する。
これら発明は、ペットボトルのキャップ部分を射程としたぶら下げの提案であり、持ち運ぶ際のペットボトルの重量感を軽減できないこと。又その形から自販機に装填できないことから本願発明は、これら問題点の解決を図った。
【特許文献１】特開平１１−９１７８６号広報（図１）
【特許文献２】特開２００１−２７８２７８号広報（図２）
【発明の開示】
【発明が解決しようとする課題】
【０００３】近年、自販機による飲料水等の需要が多く、特にペットボトルに収納された飲料水は、蓋のできることから分割飲みができることから年々増加傾向にあるが、フック付きペットボトルはその形から自販機で販売することが困難であった。また、分割飲みするには持ち運ぶ必要があり、持ち運び用グッズを別途購入して使用する外は、ペットボトルを手で持ち運ぶことになり、利便性に欠けていた。
また、従来ペットボトルをぶら下げるグッズ等が市販されているが、いずれもペットボトルの重量の揺れで重量を感じる。
【課題を解決するための手段】
【０００４】本願発明の請求項１は、ペットボトルの胴体の中心を目安として、固定して操作するとフックに変換できる比較的平滑な変換フックを、接着剤又はテープ等で接着固定することにより、自販機等での販売後、変換フックを必要に応じ指で引き上げフックとして使用できる。【０００５】また、予めフックになっているものを、フック止めに繋ぎ止めることで比較的平滑にしたものを自販機等で販売し、販売後必要に応じてフック止めを外すことで、弾力を利用した変換フックもできる。【０００６】また、予めフック状のものを倒して比較的平滑な状態にしたものを起こす、又は立てることによりフックを形成することもできる。【０００７】これら方法は、ペットボトル胴体部分にフックがあることから、携帯する際にもペットボトルが揺れないためにペットボトルの安定がよく、ペットボトルの重量感が軽減される。【０００８】本願発明の請求項２は、変換フックを適当な位置まで指で引き上げる操作、フック止めを外すことでフックを形成する操作、フック状のものを倒して起こす、又は立てる操作からも、変換フックの素材は弾塑性のものを必要とする。【０００９】変換フックの素材は弾塑性のものであれば良く、たとえば鉄線、ステンレス線、鋼線、針金、が使用できる外、プラスチック及び合成樹脂等も使用できるが、これらに限定するものではなく、弾組成のものはすべて使用できることから、弾塑性素材の範囲は多く、素材価格の選択も広い。【００１０】本願発明の請求項３は、ペットボトル成型時にペットボトル胴体と一体化した弾塑性を素材とした収納フック及び変換フックを取り付けたものであり、接着固定の必要がない。【００１１】本願発明の請求項４は、ペットボトル成型時に変換フックを装着できるようペットボトルに変換フック装着用のための差込口又は、変換フック止めの為の止具が設置されるために接着固定の必要がない。【００１２】本願発明の請求項５は、飲料水のペットボトル容器の場合、ペットボトル容器表面に飲料水の名称、成分、内容量等の表記の必要性からペットボトル胴体部分がラベルに覆われることも多く、シールが貼ってあることも多い。【００１３】本願発明の変換フックは、ペットボトル容器表面がラベル及びシールで覆われ又は貼られた上からも変換フックの接着固定が容易にできる。【００１４】また、接着固定の方法によっては、ペットボトルラベル又はシールの表示を妨げず接着固定ができる。【００１５】たとえば、透明テープで接着固定した場合にも、一般的に使用されているラベル又はシールは、その材質からもテープが強く接着する。【００１６】本願発明の請求項６は、本願発明の変換フックは、ラベル及びシールの製造段階から、ラベル及びシールに取り付けすることができる。【００１７】たとえば、ペットボトルの胴体部分を覆う又は貼るラベル、シールに本願発明の変換フックを取り付けるための差込口、又は、受け口、又は、フックをラベル及びシールの製造時に設けることにより変換フックの取り付けは容易になる。【００１８】この場合は、ラベル及びシール製造時に変換フックを接着固定する方法もあるが、ラベル及びシールに弾塑性素材の変換フックを一体化することもできる。【００１９】このように、ラベル及びシールに変換フックを取り付けることにより、ペットボトル商品の製造段階での本願発明の変換フックの取り付けは容易になる。
【発明の効果】
【００２０】本願発明により、従来可能性の低かったフック付きペットボトルの自販機による販売が可能となる。
【発明を実施するための最良の形態】
【００２１】直径１ｍｍから１．５ｍｍの鉄線を使用するが、一般的に市販されている鉄線クリップを使用することができる。この場合クリップの最も長い部分が４０ｍｍから５０ｍｍのものを選ぶ、このクリップは最も長い部分が５０ｍｍの場合は内側にある短い部分は４０ｍｍであり、本願発明の変換フックの代用となる。
本願発明の図２の２のようにクリップの上部をペンチのようなもので、少し角度をつけることにより、変換フックは、よりペットボトルに接することになる。
内側の短い部分をペットボトルに固定するが、この場合固定する方法は市販されている幅５０ｍｍの布又は透明テープを使用し、ペットボトルに固定した金具が見えない程度のテープで使用に耐える。フックに変換する場合は固定していない長い方を指で引き上げる。
【実施例】
【００２２】ペットボトルで胴体部分がラベルシールで被覆された（緑茶）５００ｍｌに１．５ｍｍ鉄線を使用して図１．２を作製して図３のように指で引き上げフックにした後、ズボンのウエスト部分に掛けたが、重量感もなくフックの取り付け取り外しもスムーズであり、フックを取り付け飛び跳ね、立ち座りを繰り返したが、ズレることもなく、安定した結果が得られた。
本実施例の鉄線は株式会社ミツヤ製ジャイアントゼムクリップを使用した。
フックの長さ５０ｍｍ、固定部分４０ｍｍ、透明固定テープ５０ｍｍ・５０ｍｍであった。
【産業上の利用可能性】
【００２３】従来のペットボトルは、その形からペットボトル携帯グッズを使用しなければ、手で持つ以外の方法はなかった。【００２４】また、グッズによっては、ぶら下げる方法が取られているものもあるが、この場合重量感を感じる。【００２５】本願発明は、フックがペットボトルの胴体中央部分にできることから、安定が良く殆ど重量感を感じない。
【図面の簡単な説明】
【００２６】
【図１】実施例で説明する本願発明に係る平滑フックの正面図であるが、１の固定テープにより３の固定部位が固定され２を引き上げることによりフックが形成される。
【００２７】
【図２】図１の側面図であり、２部分の長さはフックの長さとなる。
【００２８】
【図３】図１及び２のフックを引き上げてフックが使用できる状態。
【００２９】
【図４】０００５で説明するものの側面図で、予めフックを形成しているものをフック止めでフックを止めて、それを外すことによりフックとする。
【００３０】
【図５】０００６で説明するものの正面図で、フックが倒された状態であり、フックを起こす又は立てることによりフック機能が生じ、図３の状態となる。
【符号の説明】
１  平滑フック固定テープ
２  フック部分
３  固定テープで固定した部位
４  フック止め
【図１】
2006335472.tif 000003
【図２】
2006335472.tif 000004
【図３】
2006335472.tif 000005
【図４】
2006335472.tif 000006
【図５】
2006335472.tif 000007